(57)【要約】      （修正有）【課題】ユーザがやけどするのを防止するとともに、まつ毛を効果的にカールできるようになされた新しい構造のまつ毛カール用ドライヤを提供する。【解決手段】ケース１０と、前記ケース１０の内部に備えられたヒータ２０及びファン３０と、前記ケース１０の先端部に備えられ、まつ毛をカールするカール部材４０とを含み、前記ヒータ２０により加熱された空気によって前記カール部材４０又はまつ毛が加熱されてカールできるように構成される。前記ケース１０は、前後方向に長い筒状で構成され、基端部には手に取りやすい円形又は楕円形の断面を有する取っ手部１１が形成され、先端部は側方向に広く、上下方向の幅が狭く構成される。【選択図】図２
0003194584.tif 000002
【実用新案登録請求の範囲】
【請求項１】
ケース１０と、
前記ケース１０の内部に備えられたヒータ２０及びファン３０と、
前記ケース１０の先端部に備えられ、まつ毛をカールするカール部材４０と
を含み、
前記ヒータ２０はカール部材４０から離間するように設けられ、
前記ヒータ２０により加熱された空気によって前記カール部材４０又はまつ毛が加熱されてカールできるようになることを特徴とするまつ毛カール用ドライヤ。
【請求項２】
前記ケース１０の一側には吸気口１４が形成され、
前記ケース１０の先端部上面には一側に長い排気口１５が形成され、
前記カール部材４０は、前記排気口１５又は排気口１５の一側に位置するように前記ケース１０の先端部に結合されることを特徴とする、請求項１に記載のまつ毛カール用ドライヤ。
【請求項３】
前記カール部材４０は、上面に多数のブラシ部材４２が備えられたブラシ状で構成されることを特徴とする、請求項１に記載のまつ毛カール用ドライヤ。
【請求項４】
前記カール部材４０の内部には、熱伝導率が高い金属材質の吸熱部材４３が設けられ、
前記吸熱部材４３は、上／下面がカール部材４０の上／下側に露出することを特徴とする、請求項１に記載のまつ毛カール用ドライヤ。
【請求項５】
前記カール部材４０は、前記排気口１５と同じ形態で構成され、前記排気口１５を塞ぐように設けられ、
カール部材４０には、上下面を貫通する複数の貫通孔４５が形成され、
前記ヒータ２０により加熱された空気が前記貫通孔４５を通過しながら、吸熱部材４３を加熱するようになることを特徴とする、請求項４に記載のまつ毛カール用ドライヤ。
【請求項６】
前記カール部材４０は多様な形態で構成され、
前記ケース１０に脱着可能に結合され、用途に応じてカール部材４０を交換できるようになることを特徴とする、請求項１に記載のまつ毛カール用ドライヤ。
【考案の詳細な説明】
【技術分野】
【０００１】
本考案は、ユーザが火傷するのを防止するとともに、まつ毛を効果的にカールできるようになっている新しい構造のまつ毛カール用ドライヤに関する。
【背景技術】
【０００２】
近年、まつ毛が長く、かつ豊かに見えるようにカールするためのアイラッシュカーラー（ビューラー）やホットアイラッシュカーラーなどのと、多様な種類の器具が開発され広く用いられている。
【０００３】
前記アイラッシュカーラーは成形フレームを用いてまつ毛の上下面を強く加圧し、まつ毛にカールを付けるように構成され、ホットアイラッシュカーラーは一側に備えられたブラシ部にヒータが露出するように備えられ、ブラシ部でまつ毛を上側に持ち上げると、ヒータによりまつ毛が加熱されてカールされるように構成される。
【０００４】
しかしながら、アイラッシュカーラーの場合、まつ毛を理想のスタイルにカールすることが非常に難しく、持続性が弱いだけでなく、成形フレームでまつ毛を加圧するとき、まつ毛が抜けるおそれがあるという問題があった。
【０００５】
また、前記ホットアイラッシュカーラーは、非常に小さなサイズのブラシ部にヒータが露出するように設けられ、温度調節が難しいので、ヒータが１００℃以上に加熱され、使用中にやけどする可能性が非常に高いという問題があった。
【０００６】
そして、このようなホットアイラッシュカーラーは、高温に加熱されたヒータがまつ毛に直接接触してカールするので、まつ毛が焼けたり、損傷したりし得るという問題もあった。
【０００７】
一方、まつ毛は、５０℃以下の温度でも十分にカールが可能である。
【考案の概要】
【考案が解決しようとする課題】
【０００８】
そこで、本考案は上記問題を解決するためのものであって、その目的は、ユーザがやけどするのを防止するとともに、まつ毛を効果的にカールできるようになっている新しい構造のまつ毛カール用ドライヤを提供することにある。
【０００９】
本考案の前記目的と多様な長所は、この技術分野における熟練した者らによって本考案の好適な実施形態から更に明確になる。
【課題を解決するための手段】
【００１０】
前記目的を達成するための本考案によれば、ケース１０と、前記ケース１０の内部に備えられたヒータ２０及びファン３０と、前記ケース１０の先端部に備えられ、まつ毛をカールするカール部材４０とを含み、前記ヒータ２０はカール部材４０から離間するように設けられ、前記ヒータ２０により加熱された空気によって前記カール部材４０又はまつ毛が加熱されてカールできるようになることを特徴とするまつ毛カール用ドライヤが提供される。
【００１１】
本考案の他の特徴によれば、前記ケース１０の一側には吸気口１４が形成され、前記ケース１０の先端部上面には一側に長い排気口１５が形成され、前記カール部材４０は、前記排気口１５又は排気口１５の一側に位置するように前記ケース１０の先端部に結合されることを特徴とするまつ毛カール用ドライヤが提供される。
【００１２】
本考案の更に他の特徴によれば、前記カール部材４０は上面に多数のブラシ部材４２が備えられたブラシ状で構成されることを特徴とするまつ毛カール用ドライヤが提供される。
【００１３】
本考案の別の特徴によれば、前記カール部材４０の内部には、熱伝導率が高い金属材質の吸熱部材４３が設けられ、前記吸熱部材４３は、上／下面がカール部材４０の上／下側に露出することを特徴とするまつ毛カール用ドライヤが提供される。
【００１４】
本考案の更に別の特徴によれば、前記カール部材４０は、前記排気口１５と同じ形態で構成され、前記排気口１５を塞ぐように設けられ、前記カール部材４０には、上下面を貫通する複数の貫通孔４５が形成され、前記ヒータ２０により加熱された空気が前記貫通孔４５を通過しながら、吸熱部材４３を加熱するようになることを特徴とするまつ毛カール用ドライヤが提供される。
【００１５】
本考案の更に他の特徴によれば、前記カール部材４０は多様な形態で構成され、前記ケース１０に脱着可能に結合され、用途に応じてカール部材４０を交換できるようになることを特徴とするまつ毛カール用ドライヤが提供される。
【考案の効果】
【００１６】
本考案によるまつ毛カール用ドライヤは、ヒータ２０により加熱された空気を用いて間接的にまつ毛を加熱するので、目や肌がやけどするのを防止できるだけでなく、まつ毛を適切な温度で加熱して効果的にカールできるという効果を奏する。
【図面の簡単な説明】
【００１７】
【図１】本考案によるまつ毛カール用ドライヤを示す平面図である。
【図２】本考案によるまつ毛カール用ドライヤを示す側断面図である。
【図３】本考案によるまつ毛カール用ドライヤのカール部材を示す部分断面斜視図である。
【図４】本考案によるまつ毛カール用ドライヤを示す正断面図である。
【図５】本考案によるまつ毛カール用ドライヤを示す構成図である。
【図６】本考案によるまつ毛カール用ドライヤの使用状態を示す参考図である。
【考案を実施するための形態】
【００１８】
以下、本考案を添付の例示図面に基づいて詳細に説明する。
【００１９】
図１〜図６は、本考案によるまつ毛カール用ドライヤを示すものであって、ケース１０と、前記ケース１０の内部に備えられたヒータ２０及びファン３０と、前記ケース１０の先端部に備えられ、まつ毛１をカールするカール部材４０とを含み、前記ヒータ２０により加熱された空気によって前記カール部材４０又はまつ毛１が加熱されてカールできるように構成される。
【００２０】
さらに詳細に説明すると、前記ケース１０は、前後方向に長い筒状で構成され、基端部には手に取りやすい円形又は楕円形の断面を有する取っ手部１１が形成され、先端部は側方向に広く、上下方向の幅が狭く構成される。
【００２１】
このとき、前記取っ手部１１の内部にはバッテリ１２が挿設され、前記ヒータ２０とファン３０に電源を供給できるように構成され、前記ケース１０の上面中央部には、前記ヒータ２０とファン３０の作動を制御する電源スイッチ１３が備えられる。
【００２２】
また、前記ケース１０の基端部には吸気口１４が形成され、先端部には排気口１５が形成される。前記排気口１５は、まつ毛１の形態に対応するように、左右に長く、中央部が前方に突出した円弧状で構成される。
【００２３】
前記ヒータ２０は、前記カール部材４０から離間するように前記吸気口１４と排気口１５との間に設けられる。
【００２４】
前記ファン３０は、前記吸気口１４に隣接するように設けられ、外部の空気が前記吸気口１４を通じて強制的に吸入された後、前記ヒータ２０を通過して排気口１５へ排出されながら、前記カール部材４０とまつ毛１を加熱する。
【００２５】
このとき、前記ヒータ２０とファン３０は、空気を５０℃以下に加熱するように構成される。
【００２６】
前記カール部材４０は、前記排気口１５に結合される支持部４１と、前記支持部４１の上面から上部に延びた多数のブラシ部材４２で構成されたものであって、強度が高く、耐熱性のある合成樹脂材質で構成される。
【００２７】
前記支持部４１は、左右に長く、中央部が前方に突出した円弧状で構成され、内部には熱伝導率が高い金属材質の吸熱部材４３が備えられる。このとき、前記支持部４１の上／下面には、支持部４１の上／下面の一部を切り欠いて前記吸熱部材４３が露出するようにする露出部４４が多数形成される。前記露出部４４は、前記ブラシ部材４２が形成された位置の間に形成され、前記ブラシ部材４２を用いてまつ毛１を持ち上げるとき、まつ毛１が露出部４４を介して前記吸熱部材４３の上面に接触できるように構成される。
【００２８】
また、前記支持部４１は、前記排気口１５と同一のサイズで構成され、前記支持部４１を排気口１５に結合すると、排気口１５が塞がるように構成され、前記支持部４１には、多数の貫通孔４５が上下面を貫通するように形成され、ケース１０内部の空気が前記貫通孔４５を通じてケース１０の上部へ排出されるように構成される。このとき、前記貫通孔４５は、両端が前記露出部４４に露出するように前記吸熱部材４３を上下方向に貫通するように形成される。
【００２９】
前記ブラシ部材４２は、細くて長さが短く、互いに側方向に一定間隔離間するように配置されたまつ毛用ブラシ状で構成され、カール部材４０を用いてまつ毛１をカールするとき、前記ブラシ部材４２でまつ毛１を持ち上げながら整えられる。
【００３０】
このとき、前記カール部材４０は、支持部４１の上面が前記ケース１０の上面に比べて上側に突出するように構成され、カール部材４０のブラシ部材４２でまつ毛１を持ち上げるとき、ケース１０の先端部が目や顔の他の部分に接触しないように構成される。
【００３１】
従って、前記排気口１５に適切なカール部材４０を選択して結合した後、前記ヒータ２０とファン３０を作動させると、外部の空気がヒータ２０により加熱された後、前記貫通孔４５を通じて外部に排出され、これにより支持部４１の吸熱部材４３が加熱される。
【００３２】
そして、図６に示すように、前記カール部材４０のブラシ部材４２を用いてまつ毛１を上側に持ち上げるようにカールすれば、まつ毛１が前記吸熱部材４３に密着し、加熱された吸熱部材４３の熱と前記貫通孔４５から排出される高温の空気により加熱されカールされる。
【００３３】
このように構成された本考案によるまつ毛カール用ドライヤは、ヒータ２０が外部に露出した従来のホットアイラッシュカーラーとは異なり、ヒータ２０がケース１０の内部に設けられ、ヒータ２０により加熱された空気を用いて間接的にまつ毛１を加熱してカールするので、高温のヒータ２０により目や肌がやけどするのを防止でき、まつ毛１が焼けたり、損傷したりするのを防止できて、まつ毛１を適切な温度で加熱して効果的にカールできるという長所がある。
【００３４】
特に、前記排気口１５は、ケース１０の先端部上面に形成されて熱風が上部へのみ排出されるので、熱風が目の方に吹いて目のやけどや、風により乾燥するのを効果的に防止できるという長所がある。
【００３５】
そして、前記カール部材４０には、細くて長さが短いブラシ状のブラシ部材４２が備えられ、ブラシ部材４２を用いてまつ毛１を持ち上げると、まつ毛１がカールされると同時に、まつ毛１が整えられ、使い勝手が更に向上するという長所がある。
【００３６】
また、前記カール部材４０は、多数の貫通孔４５が上下面を貫通するように形成され、前記排気口１５に設けられるので、排気口１５をから排出される高温の空気によりカール部材４０が加熱されてカール部材４０を用いてまつ毛１をカールする際にまつ毛１をより効果的に加熱してカールできるという長所がある。
【００３７】
特に、前記カール部材４０には、熱伝導率が高い金属材質の吸熱部材４３が上／下側面に露出するように設けられ、貫通孔４５を通じて排出される空気により吸熱部材４３が加熱されるので、カールするとき、吸熱部材４３がまつ毛１と接触することにより、まつ毛１がより速い速度で加熱され、速やかにカールできるという長所がある。
【００３８】
本実施形態の場合、前記ケース１０は前後方に長い筒状で構成されるものを例示したが、前記ケース１０の形態は多様に変形され得る。
【００３９】
また、前記カール部材４０は、単に前記排気口１５に結合されるものを例示したが、前記カール部材４０をブラシ部材４２の長さや太さ、個数などが異なるものや、ブラシ部材４２なしに左右に長いバーの形態で構成されたもの、又は前記吸熱部材４３を省略したものなどのように、多様な形態で製作し、用途に応じて適切なカール部材４０を選択して前記排気口１５に結合して用いるように構成され得る。
【００４０】
そして、前記カール部材４０は、排気口１５を塞ぐように設けられるものを例示したが、前記カール部材４０の支持部４１を排気口１５に比べて小さく構成して支持部４１の周囲部に熱い空気が排出されるようにすることもできる。
【００４１】
以上、前記内容は、本考案の好適な一実施形態を単に例示したものであって、本考案の当業者は本考案の要旨を変更させることなく、本考案に対する修正および変更を加えることができることを認知すべきである。
【図１】
0003194584.tif 000003
【図２】
0003194584.tif 000004
【図３】
0003194584.tif 000005
【図４】
0003194584.tif 000006
【図５】
0003194584.tif 000007
【図６】
0003194584.tif 000008